(57)【特許請求の範囲】
【請求項１】
納骨室の上蓋となる笠石の下面に、その下面と接触する他の石上端の支持石面部に嵌合する環状被着溝と、それを囲むように配される環状水切溝とを形成したことを特徴とする石積み墓標。
【請求項２】
笠石の下の要台石が地面に置かれる根台石と、その上の下台石とを、同一の石材に加工を施こすことにより一体成形してなり、その加工において、内部をくり貫くことにより納骨室を形成し、下台石の前面に上へ切欠状に開口した納骨口に扉枠石を嵌着し、下台石と扉枠石との各上端が、笠石の環状被着溝の嵌合する支持石面部となっていることを特徴とする請求項１記載の石積み墓標。
【請求項３】
下台石が前面開口形の三方壁であって、その前面の納骨口に嵌まる扉枠石が下枠と左右縦枠との間に扉石で開閉される上端開口形ないしＵ字形に形成され、左右両端に三方壁の前端に掛かる凸縁の耳部と、庇石が掛かる段部とを設け、下台石と扉枠石と庇石との各上端が、笠石の環状被着溝の嵌合する支持石面部となっていることを特徴とする請求項１記載の石積み墓標。
【請求項４】
納骨室の上蓋となる笠石の下面に、その下面と接触する他の石上端の支持石面部に嵌合する環状被着溝と、それを囲むように配される環状水切溝とを形成し、笠石の下の要台石が地面に置かれる根台石と、その上の下台石とを、同一の石材に加工を施こすことにより一体成形してなり、その加工において、内部をくり貫くことにより納骨室を形成し、下台石の前面の上へ切欠状に開口した納骨口に扉枠石を嵌着し、扉枠石が下枠と左右縦枠との間に扉石で開閉される四角枠形またはＵ字形に形成され、左右両端に下台石の前端に掛かる耳部を突設し、さらに、扉枠石には扉石が当たる突条または段差を形成してあることを特徴とする石積み墓標。
【発明の詳細な説明】
【０００１】
【発明の属する技術分野】
この発明は、納骨室の構成に特に工夫した石積み墓標に関する。
【０００２】
【従来の技術】
石積み墓標は、これを実施例の図１を利用して説明すると、一般的に、根台石１、下台石２、笠石３、上台石４、棹石５とからなるもので、上台石２とその下の根台石１とにかけて、納骨室が構成され、下台石２の前面に納骨口８が開口され、そこに扉枠石１１が嵌め込まれる。また、納骨室の下部を構成する根台石１は、納骨がいずれ土に帰るようにと宗教的な考えから、上下に貫通する四角枠型に形成される。
【０００３】
また、下台石２は、前面に納骨口８が開口するコ字形の不完全な四角筒形であって、これを根台石１に載置し、さらにその上に笠石３を載せることによって、上端が笠石で封じられる納骨室が構成される。
【０００４】
【発明が解決しようとする課題】
上記のような従来の石積み墓標によれば、下台石と笠石が別々の石であるために、その間から雨水が納骨室に侵入し、また、下台石が前面で上下に抜けるコ字形であることから、扉枠石１１で封じてもそれと笠石との間からも雨水が侵入し、また、扉石が根台石の上に載置して納まる形態では、根台石と扉石との間からも侵入するため、納骨室がじめじめして湿気が原因でカビ（地雲）が発生したり、不敬に遺骨を傷めたりするという問題があった。
【０００５】
この点について、納骨室が雨水の影響を受けなく、乾燥した状態にあるときには、雑菌や不敗菌等の悪質な菌の発生が抑制され、良質な土壌微生物のみが生棲し、納骨室が遺族も安心し得る快適な空間に保持される。
【０００６】
この発明は、上記のような実情に鑑みて、納骨室に雨水が侵入しなく、同時に耐震構造ともなるために、納骨室が安全で快適な空間に保持される石積み墓標を提供することを目的とした。
【０００７】
【課題を解決するための手段】
上記の目的を達成するために、この発明は、納骨室の上蓋となる笠石の下面に、その下面と接触する他の石上端の支持石面部に嵌合する環状被着溝と、それを囲むように配される環状水切溝とを形成した石積み墓標を構成した。
【０００８】
上記の構成によれば、笠石の下面に環状水切溝が形成されているので、雨水がそこで断水され、たとえそこから入ったとしても、僅かな量であり、環状被着溝と支持石面部との結合により止水される。また、この結合により下台石と笠石との連結強度が強化されるため、大きな地震に遭遇したとしても倒壊しない安定性を保持する。
【０００９】
【発明の実施の形態】
この発明においては、図示はしないが、下台石２が四角形の角筒形であって、その前面に扉枠石９が嵌まる納骨口８を窓穴状に開口することもある。その場合には、下台石２の上端が四角形の支持石面部１８となる。しかし、納骨口８を上端開口形に形成すると（請求項２、３、４）、石の加工が容易となる。また、扉枠石９を下台石２と一体に形成することもある（図示省略）。
【００１０】
また、扉枠石９は四角枠形であっても良いし（請求項２）、上端開放形であっても良いが（請求項３、４）、上端開放形であると、石の加工が容易である。また、両端に耳部２４、２４を設けると（請求項３、４）、下台石２との結合が安定するだけでなく、隙間からの雨水の侵入が耳部２４で防止されるので、この発明の目的を達成するのに有効でる。また、突条１７や段差２６も防水機能を果たす（請求項４）。
【００１１】
【発明の効果】
以上説明したように、この発明の石積み墓標によれば、納骨室に雨水が侵入しなく、そこがじめじめして湿気が原因で地雲が発生したり、不敬に遺骨を傷めたりするようなことがなく、大きな地震にも倒壊しない耐震構造となるために、納骨室が遺族も安心し得る快適な空間に保持されるという優れた効果がある。
【００１２】
【実施例】
次に、この発明の実施例を図面に基づいて説明する。
【００１３】
図１ないし図３は、一実施例を示したもので、その石積み墓標Ｈは、要台石Ｐの上に、笠石３、上台石４、棹石５を順次積み上げたもので、要台石Ｐは、根台石１と下台石２とが同一の石材に加工を施して一体成形され、これに納骨室７と納骨口８とが設けられている。そして納骨口８に扉枠石９を嵌着して、それに左右一対の扉石１１，１１が観音開き様式に収納してある。そして、笠石３の下面に、組合わせの環状被着溝１２と、その外側を囲むように配される環状水切溝１３とが形成される。
【００１４】
要台石Ｐは、略台形において内部が納骨室７として上下に抜ける不完全な四角筒形であって、下端部が四方に突出する形態において根台石１が形成される。また、根台石１の上に前面が納骨口８として抜ける三方壁を立設し下台石２が形成される。なお、全体的加工がダイヤモンドワイヤ−ソウによってなされている。
【００１５】
扉枠石９は、納骨口８に嵌まる四角枠形であって、上端に庇１４ａを前方傾斜で且つ末広がり突設され、また、左右両枠には下端部近くが最も出張るように張出壁１５，１５が突設される。この庇１４ａおよび張出壁１５，１５は、飾りとしてばかりでなく、風雨の侵入を防ぐ役目を果たしている。また、扉枠石９の下および両側の内面の奥には、扉石１１，１１が当たる突条１７が段差において形成され、これによっても雨水の侵入が阻止される。
【００１６】
この実施例の場合は、下台石２の上端が環状被着溝１２に嵌まる支持石面部１８となる他、扉枠石９の上端に凸において支持石面部１８が形成される。しかも、根台石１と下台石２とが一体の要台石Ｐであるから、その間から雨水が侵入することは決してなく、このことによっても納骨室７を地雲の発生のない快適な環境に保持することができ、墓標の石積みも容易となり、石積みの安定性も良くなる。加えて、扉枠石９に庇１４ａと張出壁１５、１５を突設することにより、さらに雨水の侵入防止に完璧を期してある。
【００１７】
図４および図５は他の実施例を示したもので、この場合は、下台石２と根台石１（図１参照）とが従来の墓と同様に別体に形成される。また、加工が容易となるように、下台石２をコ字形の三方壁に形成すると共に、扉枠石９を上端開のＵ字形に形成してある。そして、その上端を封じるために、扉枠石９の開口部の両側に段部２０、２０を設け、そこに庇石１４を架設してある。２８は下台石２に扉枠石９を止めるボルトである。
【００１８】
この実施例の場合、三方壁の下台石２の上端と、扉枠石９の上端と、庇石１４の上端が環状被着溝１２となっているが、扉枠石９には、下台石２の内側へ嵌まる突入壁２２、２２と、前面に掛かる耳部２４、２４が設けられているので、その部分で環状被着溝１２が拡張している（図５参照）。また、扉枠石９の下枠部には戸当りの段差２６を形成してあるので、これによっても雨水の侵入が防止される。
【図面の簡単な説明】
【図１】この発明による石積み墓標の正面図である。
【図２】同墓標の要部を分解して示す斜視図である。
【図３】同要部を図１のＡ−Ａ線矢視において示す断面図である。
【図４】他の実施例を示す要部の分解斜視図である。
【図５】同実施例における笠石の一部底面図である。
【符号の説明】
Ｈ  石積み墓標
Ｐ  要台石
１  根台石
２  下台石
３  笠石
７  納骨室
８  納骨口
９  扉枠石
１１  扉石
１２  環状被着溝
１３  環状水切溝
１４  庇石
１５  張出壁
１７  突条
２４  耳部
２６  段差
【図１】
0004177540.tif 000002
【図２】
0004177540.tif 000003
【図３】
0004177540.tif 000004
【図４】
0004177540.tif 000005
【図５】
0004177540.tif 000006